(57)【要約】  本発明の実施形態に係る複数のバッテリラックから構成されるエネルギー貯蔵システム（ＥＳＳ）の火災拡散防止方法は、前記複数のバッテリラックのそれぞれに対して火災有無を感知する個別バッテリラック火災感知ステップと、前記個別バッテリラック火災感知ステップにおいて火災が感知される場合、前記複数のバッテリラックのうちの少なくとも一部を強制的に放電するバッテリラック強制放電ステップと、を含んでもよい。
2022501000.tif 000002
【特許請求の範囲】
【請求項１】
複数のバッテリラックから構成されるエネルギー貯蔵システム（ＥＳＳ）において、
前記エネルギー貯蔵システム（ＥＳＳ）は、
前記エネルギー貯蔵システム（ＥＳＳ）の電力を強制的に放電する強制放電装置と、
前記複数のバッテリラックと電子装置との間の電流の経路を形成するメイン出力ラインと、
前記複数のバッテリラックと前記強制放電装置との間の電流の経路を形成する強制放電ラインと、
前記複数のバッテリラックのそれぞれを前記メイン出力ラインまたは前記強制放電ラインのうちのどちらのラインに接続するかを設定するエネルギー貯蔵システム（ＥＳＳ）制御部と、
を備え、
前記複数のバッテリラックのそれぞれは、
前記バッテリラックの火災有無を感知する火災感知部と、
前記エネルギー貯蔵システム（ＥＳＳ）制御部の制御を受けて前記バッテリラックを前記メイン出力ラインまたは前記強制放電ラインに接続するスイッチング部と、
を備えることを特徴とするエネルギー貯蔵システム（ＥＳＳ）。
【請求項２】
前記エネルギー貯蔵システム（ＥＳＳ）制御部は、
前記火災感知部から火災感知信号を受信すると、前記複数のバッテリラックのうち、強制的に放電すべきバッテリラックを設定する強制放電バッテリラック設定モジュールと、
前記強制的に放電すべきバッテリラックの放電順序を設定する放電順序設定モジュールと、
を備えることを特徴とする請求項１に記載のエネルギー貯蔵システム（ＥＳＳ）。
【請求項３】
前記強制放電バッテリラック設定モジュールは、
火災が発生したバッテリラックのＩＤを確認し、前記火災が発生したバッテリラックと隣り合うバッテリラックのＩＤを検出して、前記火災が発生したバッテリラックと隣り合う少なくとも一つ以上のバッテリラックを放電バッテリラックに設定するか、または、前記エネルギー貯蔵システム（ＥＳＳ）を構成するすべてのバッテリラックを放電バッテリラックに設定することを特徴とする請求項２に記載のエネルギー貯蔵システム（ＥＳＳ）。
【請求項４】
前記放電順序設定モジュールは、
前記放電バッテリラックに設定されたバッテリラックを順次に放電する順序を設定するか、または、前記放電バッテリラックに設定されたバッテリラックを同時に放電するように設定することを特徴とする請求項３に記載のエネルギー貯蔵システム（ＥＳＳ）。
【請求項５】
前記スイッチング部は、
一方の端が前記メイン出力ラインに接続され、他方の端が前記バッテリラックの出力端に接続されるメイン出力制御スイッチと、
一方の端が前記強制放電ラインに接続され、他方の端がバッテリラックの出力端に接続される強制放電制御スイッチと、
を備え、
前記スイッチング部が属するバッテリラックが強制放電バッテリラックに設定される場合、前記メイン出力制御スイッチはオフになり、前記強制放電制御スイッチはオンになることを特徴とする請求項２〜４のいずれか一項に記載のエネルギー貯蔵システム（ＥＳＳ）。
【請求項６】
前記強制放電装置は、
所定の時間内に所定の電力容量を費やすように設定された装置であることを特徴とする請求項１〜５のいずれか一項に記載のエネルギー貯蔵システム（ＥＳＳ）。
【請求項７】
前記火災感知部は、
前記バッテリラックの温度及び煙の有無を感知することを特徴とする請求項１〜６のいずれか一項に記載のエネルギー貯蔵システム（ＥＳＳ）。
【請求項８】
前記エネルギー貯蔵システム（ＥＳＳ）の衝撃または振動を感知する振動感知部をさらに備え、
前記振動感知部により所定の衝撃または振動が感知される場合、前記強制放電バッテリラック設定モジュールは、前記エネルギー貯蔵システム（ＥＳＳ）を構成するすべてのバッテリラックを放電バッテリラックに設定することを特徴とする請求項２に記載のエネルギー貯蔵システム（ＥＳＳ）。
【請求項９】
複数のバッテリラックから構成されるエネルギー貯蔵システム（ＥＳＳ）の安定化方法において、
前記複数のバッテリラックのそれぞれに対して火災有無を感知する個別バッテリラック火災感知ステップと、
前記個別バッテリラック火災感知ステップにおいて火災が感知される場合、前記複数のバッテリラックのうちの少なくとも一部を強制的に放電するバッテリラック強制放電ステップと、
を含むことを特徴とするエネルギー貯蔵システム（ＥＳＳ）の安定化方法。
【請求項１０】
前記バッテリラック強制放電ステップは、
強制的に放電されるべきバッテリラックを設定する放電バッテリラック設定ステップと、
前記強制的に放電されるべきバッテリラックの放電順序を設定する放電順序設定ステップと、
を含むことを特徴とする請求項９に記載のエネルギー貯蔵システム（ＥＳＳ）の安定化方法。
【請求項１１】
前記放電バッテリラック設定ステップにおいては、
火災が発生したバッテリラックのＩＤを確認する火災発生バッテリラックＩＤ確認ステップと、
前記火災が発生したバッテリラックと隣り合うバッテリラックのＩＤを確認する隣接バッテリラックＩＤ確認ステップと、
を行い、
前記火災が発生したバッテリラックと隣り合う少なくとも一つ以上のバッテリラックを放電バッテリラックに設定するか、または、前記エネルギー貯蔵システム（ＥＳＳ）を構成するすべてのバッテリラックを放電バッテリラックに設定することを特徴とする請求項１０に記載のエネルギー貯蔵システム（ＥＳＳ）の安定化方法。
【請求項１２】
前記放電順序設定ステップにおいては、前記放電バッテリラックに設定されたバッテリラックのＩＤまたは充電容量に応じて放電すべき順序を設定するか、または、前記放電バッテリラックに設定されたバッテリラックを同時に放電するように設定することを特徴とする請求項１１に記載のエネルギー貯蔵システム（ＥＳＳ）の安定化方法。
【請求項１３】
前記エネルギー貯蔵システム（ＥＳＳ）の衝撃または振動有無を感知するエネルギー貯蔵システム（ＥＳＳ）振動感知ステップをさらに含み、
前記バッテリラック強制放電ステップにおいては、
前記エネルギー貯蔵システム（ＥＳＳ）のすべてのバッテリラックを強制的に放電することを特徴とする請求項９〜１２のいずれか一項に記載のエネルギー貯蔵システム（ＥＳＳ）の安定化方法。
【発明の詳細な説明】
【技術分野】
【０００１】
本発明は、エネルギー貯蔵システム（ＥＳＳ）において火災や振動が発生したとき、火災の拡散を防ぎ、振動に伴う不安定な要素を取り除くシステム及びその方法に関する。
【背景技術】
【０００２】
一般に、エネルギー貯蔵システム（ＥＳＳ：Ｅｎｅｒｇｙ  Ｓｔｏｒａｇｅ  Ｓｙｓｔｅｍ）とは、発電所において過剰に生産された電力を蓄えておいて、一時的に電力が足りないときに送電する貯蔵装置のことをいい、最近、大規模のエネルギー貯蔵システム（ＥＳＳ）装置を小型に構成してビル、工場、家庭などにおいて停電への備えまたはピーク電力の減縮の用途に使用するケースが増えている。
【０００３】
最近には、電力需給の不釣り合いなどにより新再生エネルギーへの関心が急激に高まりつつあり、これに伴い、エネルギー貯蔵システム（ＥＳＳ）を介して新再生エネルギーを活用して生産された電気を蓄えておき、必要な時間帯に活用するようにする技術の開発が行われて続けている。
【０００４】
特に、最近、新築される公共の建物へのエネルギー貯蔵システム（ＥＳＳ）の設置が義務付けられ、民間の建物などにも省エネルギーの次元でエネルギー貯蔵システム（ＥＳＳ）を設置するケースが増えることに伴い、エネルギー貯蔵システム（ＥＳＳ）市場はその成長を続けている。
【０００５】
建物などにエネルギー貯蔵システム（ＥＳＳ）を設置する場合には、下記の特許文献に示すようなエネルギー貯蔵システム（ＥＳＳ）のバッテリラックにエネルギーを蓄えるバッテリ、バッテリを管理するバッテリーマネージメントシステム（ＢＭＳ）、電力を変換する太陽光発電用パワーコンディショナ（ＰＣＳ）などを収めるようにし、このようなバッテリラックを地下室などの一定の空間に収めて運用するようにしている。
【０００６】
このとき、外部の温度が高い夏場には、エネルギー貯蔵システム（ＥＳＳ）システムのバッテリなどから発生する多大な熱によりエネルギー貯蔵システム（ＥＳＳ）システムの温度が過剰に上昇し、これにより、火災発生のリスクが高く、地震などの発生により損傷される場合に膨大な財産的な被害を被るだけではなく、火災、電力の遮断など２次的な事故の発生のリスクが高いにも拘わらず、これに関する技術の開発が盛んに行われていないのが現状である。
【先行技術文献】
【特許文献】
【０００７】
【特許文献１】大韓民国公開特許公報第１０−２０１６−００９４２１６号
【発明の概要】
【発明が解決しようとする課題】
【０００８】
本発明は、エネルギー貯蔵システム（ＥＳＳ）において火災が発生するか、あるいは、地震などにより所要以上の衝撃または振動が発生したとき、火災の拡散を防ぎ、衝撃または振動に伴うリスクを取り除くエネルギー貯蔵システム（ＥＳＳ）の安定化システム及びその方法を提供する。
【課題を解決するための手段】
【０００９】
本発明の実施形態に係る複数のバッテリラックから構成されるエネルギー貯蔵システム（ＥＳＳ）の火災拡散防止及び安定化方法は、前記複数のバッテリラックのそれぞれに対して火災有無を感知する個別バッテリラック火災感知ステップと、前記個別バッテリラック火災感知ステップにおいて火災が感知される場合、前記複数のバッテリラックのうちの少なくとも一部を強制的に放電するバッテリラック強制放電ステップと、を含んでもよい。
【００１０】
前記バッテリラック強制放電ステップは、強制的に放電されるべきバッテリラックを設定する放電バッテリラック設定ステップと、前記強制的に放電されるべきバッテリラックの放電順序を設定する放電順序設定ステップと、を含んでもよい。
【００１１】
前記放電バッテリラック設定ステップにおいては、火災が発生したバッテリラックのＩＤを確認する火災発生バッテリラックＩＤ確認ステップと、前記火災が発生したバッテリラックと隣り合うバッテリラックのＩＤを確認する隣接バッテリラックＩＤ確認ステップと、を行い、前記火災が発生したバッテリラックと隣り合う少なくとも一つ以上のバッテリラックを放電バッテリラックに設定するか、または、前記エネルギー貯蔵システム（ＥＳＳ）を構成するすべてのバッテリラックを放電バッテリラックに設定してもよい。
【００１２】
前記放電順序設定ステップにおいては、前記放電バッテリラックに設定されたバッテリラックのＩＤまたは充電容量に応じて放電すべき順序を設定するか、または、前記放電バッテリラックに設定されたバッテリラックを同時に放電するように設定してもよい。
【００１３】
また、本発明に係るエネルギー貯蔵システム（ＥＳＳ）の安定化方法は、前記エネルギー貯蔵システム（ＥＳＳ）の衝撃または振動有無を感知するエネルギー貯蔵システム（ＥＳＳ）振動感知ステップをさらに含み、前記バッテリラック強制放電ステップにおいては、前記エネルギー貯蔵システム（ＥＳＳ）のすべてのバッテリラックを強制的に放電してもよい。
【００１４】
本発明の実施形態に係る複数のバッテリラックから構成されるエネルギー貯蔵システム（ＥＳＳ）は、前記エネルギー貯蔵システム（ＥＳＳ）の電力を強制的に放電する強制放電装置と、前記複数のバッテリラックと電子装置との間の電流の経路を形成するメイン出力ラインと、前記複数のバッテリラックと前記強制放電装置との間の電流の経路を形成する強制放電ラインと、前記複数のバッテリラックのそれぞれを前記メイン出力ラインまたは前記強制放電ラインのうちのどちらのラインに接続するかを設定するエネルギー貯蔵システム（ＥＳＳ）制御部と、を備え、前記複数のバッテリラックのそれぞれは、前記バッテリラックの火災有無を感知する火災感知部と、前記エネルギー貯蔵システム（ＥＳＳ）制御部の制御を受けて前記バッテリラックを前記メイン出力ラインまたは前記強制放電ラインに接続するスイッチング部と、を備える。
【００１５】
前記エネルギー貯蔵システム（ＥＳＳ）制御部は、前記火災感知部から火災感知信号を受信すると、前記複数のバッテリラックのうち、強制的に放電すべきバッテリラックを設定する強制放電バッテリラック設定モジュールと、前記強制的に放電すべきバッテリラックの放電順序を設定する放電順序設定モジュールと、を備えてもよい。
【００１６】
前記強制放電バッテリラック設定モジュールは、火災が発生したバッテリラックのＩＤを確認し、前記火災が発生したバッテリラックと隣り合うバッテリラックのＩＤを検出して、前記火災が発生したバッテリラックと隣り合う少なくとも一つ以上のバッテリラックを放電バッテリラックに設定するか、または、前記エネルギー貯蔵システム（ＥＳＳ）を構成するすべてのバッテリラックを放電バッテリラックに設定してもよい。
【００１７】
前記放電順序設定モジュールは、前記放電バッテリラックに設定されたバッテリラックを順次に放電する順序を設定するか、または、前記放電バッテリラックに設定されたバッテリラックを同時に放電するように設定してもよい。
【００１８】
前記スイッチング部は、一方の端が前記メイン出力ラインに接続され、他方の端がバッテリラックの出力端に接続されるメイン出力制御スイッチと、一方の端が前記強制放電ラインに接続され、他方の端がバッテリラックの出力端に接続される強制放電制御スイッチと、を備え、前記スイッチング部が属するバッテリラックが強制放電バッテリラックに設定される場合、前記メイン出力制御スイッチはオフになり、前記強制放電制御スイッチはオンになってもよい。
【００１９】
前記強制放電装置は、所定の時間内に所定の電力容量を費やすように設定された装置であってもよい。
【００２０】
前記火災感知部は、前記バッテリラックの温度及び煙の有無を感知してもよい。
【００２１】
また、本発明に係るエネルギー貯蔵システム（ＥＳＳ）は、前記エネルギー貯蔵システム（ＥＳＳ）の衝撃または振動を感知する振動感知部をさらに備え、前記振動感知部により所定の衝撃または振動が感知される場合、前記強制放電バッテリラック設定モジュールは、前記エネルギー貯蔵システム（ＥＳＳ）を構成するすべてのバッテリラックを放電バッテリラックに設定してもよい。
【発明の効果】
【００２２】
本発明は、エネルギー貯蔵システム（ＥＳＳ）に火災が発生したとき、火災が拡散されることを防ぐことができる。
【００２３】
また、本発明は、エネルギー貯蔵システム（ＥＳＳ）の少なくとも一つ以上のバッテリラックに火災が発生したとき、火災が発生したバッテリラックと隣り合うバッテリラックを強制的に放電することにより、隣接するバッテリラックに火災が拡散されることを防いで、エネルギー貯蔵システム（ＥＳＳ）を安定的に使用することができる。
【００２４】
さらに、本発明は、エネルギー貯蔵システム（ＥＳＳ）の外部において火災が発生したとき、すべてのバッテリラックを強制的に放電することにより、バッテリラックが爆発して火災が拡散されることを防ぐことができる。
【００２５】
さらにまた、本発明は、エネルギー貯蔵システム（ＥＳＳ）の外部において地震などによる衝撃または振動が発生したとき、火災の拡散を防ぎ、衝撃または振動に伴う危険を取り除くことができる。
【図面の簡単な説明】
【００２６】
【図１】本発明の第１の実施形態に係るエネルギー貯蔵システム（ＥＳＳ）の火災拡散防止方法の順序を示す手順図である。
【図２】本発明の第１の実施形態に係るエネルギー貯蔵システム（ＥＳＳ）を示す図である。
【図３】本発明の第２の実施形態に係るエネルギー貯蔵システム（ＥＳＳ）の火災拡散防止方法の順序を示す手順図である。
【図４】本発明の第２の実施形態に係るエネルギー貯蔵システム（ＥＳＳ）を示す図である。
【発明を実施するための形態】
【００２７】
以下では、添付図面に基づいて、本発明が属する技術分野において通常の知識を有する者が容易に実施できるように本発明の実施の形態について詳しく説明する。しかしながら、本発明は、種々の異なる形態に具体化可能であり、ここで説明する実施の形態に何ら限定されるものではない。なお、図中、本発明を明確に説明するために、説明とは無関係な部分は省略し、明細書の全般に亘って、類似の部分には類似の図面符号を付している。
【００２８】
「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施の形態を説明するために用いられたものであり、本発明を限定しようとする意図はない。単数の表現は、文脈からみて明らかに他の意味を有さない限り、複数の言い回しを含む。
【００２９】
明細書の全般に亘って、ある部分が他の部分と「接続」されていると言及された場合、これは、前記ある部分が前記他の部分に「直接的に接続」される場合だけではなく、これらの間に他の素子を間に挟んで「電気的に接続」される場合をも含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００３０】
本発明において用いられる用語としては、本発明における機能を考慮しつつ、できる限り現在汎広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００３１】
１．本発明の第１の実施形態に係るエネルギー貯蔵システム（ＥＳＳ）の火災拡散防止方法
本発明は、エネルギー貯蔵システム（ＥＳＳ）の火災の拡散を防ぐためのものである。具体的には、火災が発生したバッテリラックを検出し、火災が発生したバッテリラックと隣り合うバッテリラックを強制的に放電して火災の拡散を防ごうとする。
【００３２】
一方、バッテリラックの充電容量（ＳＯＣ）が所定の値以下になる場合には、火災が拡散されるリスクが格段に減る。
【００３３】
換言すれば、バッテリラックの充電容量が６０％以下である場合には、隣接するバッテリラックの火災により火災が発生しなかったバッテリラックが爆発して火災が拡散されないので、バッテリラックの充電容量を所定の値以下に保つと、火災の拡散を防ぐことができる。
【００３４】
一方、バッテリラックの充電容量を前記所定の値未満にさらに低くする場合、バッテリラックに火災が拡散されるリスクがさらに減るというメリットはあるものの、火災が鎮火された後、正常の状態でバッテリラックを充電するのにコストと時間がかかるため、適正の充電容量までのみ放電することが効率的である。この理由から、本発明においては、６０％の充電容量を最適な放電充電容量として選択している。
【００３５】
一方、前記適正な充電容量は、バッテリラックのうちのいずれか一つにおいて火災が発生したとき、隣接するバッテリラックが、火災が発生したバッテリラックの温度により爆発しない最大の充電容量であってもよい。
【００３６】
例えば、前記適正な充電容量は、６０％であってもよい、バッテリラックの充電容量が６０％以下になると、たとえ隣接するバッテリラックにおいて火災が発生したとしても、充電容量が６０％以下であるバッテリラックには火災が拡散されず、火災が鎮火されてから完全充電までかかる時間及びコストを、３０％の充電容量を有するバッテリラックを完全に充電するのにかかる時間及びコストよりも低減させることができる。
【００３７】
したがって、本発明においては、このように、バッテリラックの充電容量を所定の値まで強制的に放電する場合、火災の拡散を低減することができるという原理に踏まえて、エネルギー貯蔵システム（ＥＳＳ）の火災の拡散を防ごうとする。
【００３８】
図１は、本発明の第１の実施形態に係るエネルギー貯蔵システム（ＥＳＳ）の火災拡散防止方法を示す手順図である。
【００３９】
以下では、図１に基づいて、本発明の第１の実施形態に係るエネルギー貯蔵システム（ＥＳＳ）の火災拡散防止方法について説明する。
【００４０】
本発明の第１の実施形態に係る火災拡散防止方法は、複数のバッテリラックから構成されるエネルギー貯蔵システム（ＥＳＳ）において行われてもよい。具体的に、前記複数のバッテリラックのそれぞれに対して火災有無を感知する個別バッテリラック火災感知ステップ（Ｓ１００）と、前記個別バッテリラック火災感知ステップにおいて火災が感知される場合、前記複数のバッテリラックのうちの少なくとも一部を強制的に放電するバッテリラック強制放電ステップ（Ｓ２００）と、を含んでもよい。
【００４１】
一方、前記個別バッテリラック火災感知ステップ（Ｓ１００）においては、通常の火災感知機を用いて、バッテリラックの火災有無を感知し、火災が感知される場合、火災感知機がエネルギー貯蔵システム（ＥＳＳ）の制御部に火災感知信号を伝送してもよい。
【００４２】
一方、バッテリラック強制放電ステップ（Ｓ２００）は、強制的に放電されるべきバッテリラックを設定する放電バッテリラック設定ステップ（Ｓ２１０）及び前記強制的に放電されるべきバッテリラックの放電順序を設定する放電順序設定ステップ（Ｓ２２０）を含んでもよい。
【００４３】
一方、前記放電バッテリラック設定ステップ（Ｓ２１０）は、火災が発生したバッテリラックのＩＤを確認する火災発生バッテリラックＩＤ確認ステップ（Ｓ２１１）及び前記火災が発生したバッテリラックと隣り合うバッテリラックのＩＤを確認する隣接バッテリラックＩＤ確認ステップ（Ｓ２１３）を含んでもよい。一方、前記隣接バッテリラックＩＤ確認ステップは、エネルギー貯蔵システム（ＥＳＳ）の制御部において行われてもよく、前記エネルギー貯蔵システム（ＥＳＳ）制御部には、エネルギー貯蔵システム（ＥＳＳ）を構成する複数のバッテリラックに関するＩＤ及び位置情報が格納されていてもよい。
【００４４】
一方、前記放電バッテリラック設定ステップ（Ｓ２１０）においては、火災が発生したバッテリラックと隣り合う少なくとも一つ以上のバッテリラックを放電バッテリラックに設定してもよく、または、エネルギー貯蔵システム（ＥＳＳ）を構成するすべてのバッテリラックを放電バッテリラックに設定してもよい。
【００４５】
例えば、火災が発生したバッテリラックの数が一つであるか否かを確認する火災発生バッテリラック数確認ステップ（Ｓ２１２）をさらに行って、火災が発生したバッテリラックの数が一つである場合、火災が発生したバッテリラックと隣り合うバッテリラックのみを強制的に放電し、火災が発生したバッテリラックの数が二つ以上である場合、すべてのバッテリラックを強制放電バッテリラックに設定（Ｓ２３０）し、強制的に放電してもよい。
【００４６】
具体的に、１０個のバッテリラック（第１乃至第１０のバッテリラック）からなるエネルギー貯蔵システム（ＥＳＳ）において、第３のバッテリラックにおいてのみ火災が発生したと判断される場合、エネルギー貯蔵システム（ＥＳＳ）制御部は、第３のバッテリラックと隣り合うバッテリラックが第２のバッテリラックと第４のバッテリラックであることを検出し、第２のバッテリラックと第４のバッテリラックを強制放電バッテリラックに設定してもよい。
【００４７】
一方、他の例によれば、１０個のバッテリラック（第１乃至第１０のバッテリラック）からなるエネルギー貯蔵システム（ＥＳＳ）において、第３のバッテリラック、第６のバッテリラック、第６のバッテリラックにおいて火災が発生したと判断される場合には、エネルギー貯蔵システム（ＥＳＳ）を構成するすべてのバッテリラックを強制放電バッテリラックに設定し、すべてのバッテリラックを放電（Ｓ２３０）してもよい。
【００４８】
さらに他の例によれば、外部の火災感知機からエネルギー貯蔵システム（ＥＳＳ）へと火災感知信号が伝送される場合には、エネルギー貯蔵システム（ＥＳＳ）を構成するすべてのバッテリラックを強制放電バッテリラックに設定し、強制的に放電（Ｓ２３０）してもよい。
【００４９】
すなわち、エネルギー貯蔵システム（ＥＳＳ）を構成するバッテリラックのうち、火災が発生したラックの数またはエネルギー貯蔵システム（ＥＳＳ）の外部からの火災感知信号に基づいて、強制的に放電すべきバッテリラックを設定してもよい。
【００５０】
一方、前記放電順序設定ステップにおいては、前記放電バッテリラックに設定されたバッテリラックのＩＤまたは充電容量に応じて放電すべき順序を設定するか、または、前記放電バッテリラックに設定されたバッテリラックを同時に放電するように設定してもよい。
【００５１】
例えば、バッテリラックの放電は、バッテリラックのＩＤが早い順に、または、充電容量ＳＯＣが高い順に順次に行ってもよい。
【００５２】
具体的に、１０個のバッテリラック（第１乃至第１０のバッテリラック）からなるエネルギー貯蔵システム（ＥＳＳ）において、第３のバッテリラックにおいてのみ火災が発生したと判断される場合、第３のバッテリラックと隣り合う第２のバッテリラックと第４のバッテリラックのうち、ＩＤが早い第２のバッテリラックを先に放電した後、第４のバッテリラックを強制的に放電するように設定してもよい。
【００５３】
他の例によれば、１０個のバッテリラック（第１乃至第１０のバッテリラック）からなるエネルギー貯蔵システム（ＥＳＳ）において、第３のバッテリラックにおいてのみ火災が発生したと判断される場合、第３のバッテリラックと隣り合う、充電容量が８０％である第２のバッテリラックと充電容量が９０％である第４のバッテリラックのうち、充電容量が大きい第４のバッテリラックを先に放電した後、第２のバッテリラックを強制的に放電するように設定してもよい。
【００５４】
一方、さらに他の例によれば、１０個のバッテリラック（第１乃至第１０のバッテリラック）からなるエネルギー貯蔵システム（ＥＳＳ）において、第３のバッテリラック、第６のバッテリラック、第６のバッテリラックにおいて火災が発生したと判断される場合には、エネルギー貯蔵システム（ＥＳＳ）を構成するすべてのバッテリラックを同時に放電するように設定してもよい。
【００５５】
さらに他の例によれば、外部の火災感知機からエネルギー貯蔵システム（ＥＳＳ）へと火災感知信号が伝送される場合にも、エネルギー貯蔵システム（ＥＳＳ）を構成するすべてのバッテリラックを同時に強制的に放電するように設定してもよい。
【００５６】
すなわち、エネルギー貯蔵システム（ＥＳＳ）を構成するバッテリラックのうち、火災が発生したラックの数またはエネルギー貯蔵システム（ＥＳＳ）の外部からの火災感知信号に基づいて、強制的に放電すべき順序を設定してもよい。
【００５７】
一方、図３は、本発明の第２の実施形態に係るエネルギー貯蔵システム（ＥＳＳ）の火災拡散防止方法の順序を示す手順図である。本発明の第２の実施形態に係るエネルギー貯蔵システム（ＥＳＳ）の火災拡散防止方法は、図３に示すように、エネルギー貯蔵システム（ＥＳＳ）の振動を感知する振動感知ステップ（Ｓ１０１）をさらに含んでもよい。
【００５８】
このように、エネルギー貯蔵システム（ＥＳＳ）の振動を感知する振動感知ステップを行った結果、所定の振動が感知される場合、上述したすべてのバッテリラック強制放電ステップを行ってすべてのバッテリラックを強制的に放電してもよい。
【００５９】
一方、前記振動感知ステップにおいて振動が感知されない場合には、上述した本発明の第１の実施形態に係るバッテリラック強制放電ステップ（Ｓ２００）を行ってもよい。
【００６０】
２．本発明の第１の実施形態に係るエネルギー貯蔵システム（ＥＳＳ）
図２は、本発明の第１の実施形態に係るエネルギー貯蔵システム（ＥＳＳ）を示す図である。
【００６１】
以下では、図２に基づいて、本発明の実施形態に係るエネルギー貯蔵システム（ＥＳＳ）について説明する。
【００６２】
本発明の実施形態に係るエネルギー貯蔵システム（ＥＳＳ）１は、複数のバッテリラック１００〜１０９から構成され、前記エネルギー貯蔵システム（ＥＳＳ）の電力を強制的に放電する強制放電装置２０と、前記複数のバッテリラック１００〜１０９と電子装置１０との間の電流の経路を形成するメイン出力ライン１１と、前記複数のバッテリラックと前記強制放電装置２０との間の電流の経路を形成する強制放電ライン１２と、前記複数のバッテリラックのそれぞれを前記メイン出力ライン１１または強制放電ライン１２のうちのどちらのラインに接続するかを設定するエネルギー貯蔵システム（ＥＳＳ）制御部２００と、を備えてもよい。
【００６３】
一方、前記複数のバッテリラックのそれぞれは、バッテリラックの火災有無を感知する火災感知部４００及び前記エネルギー貯蔵システム（ＥＳＳ）制御部２００の制御を受けてバッテリラックを前記メイン出力ラインまたは強制放電ラインに接続するスイッチング部３００を備えてもよい。
【００６４】
一方、前記火災感知部４００は、バッテリラックのそれぞれ及びエネルギー貯蔵システム（ＥＳＳ）の一部に配備されてもよく、前記バッテリラックのそれぞれに配備される火災感知部は、バッテリラックにおける火災の発生有無を感知し、エネルギー貯蔵システム（ＥＳＳ）の一部に配備される火災感知部は、エネルギー貯蔵システム（ＥＳＳ）の外部の火災有無を感知してもよい。
【００６５】
一方、前記エネルギー貯蔵システム（ＥＳＳ）制御部２００は、前記火災感知部４００から火災感知信号を受信すると、前記複数のバッテリラックのうち、強制的に放電すべきバッテリラックを設定する強制放電バッテリラック設定モジュール２１０及び前記強制的に放電すべきバッテリラックの放電順序を設定する放電順序設定モジュール２２０を備えてもよい。
【００６６】
一方、前記エネルギー貯蔵システム（ＥＳＳ）制御部２００は、エネルギー貯蔵システム（ＥＳＳ）を構成する複数のバッテリラックに関するＩＤ及び位置情報が格納されている格納部２３０をさらに備えてもよい。
【００６７】
例えば、前記強制放電バッテリラック設定モジュールは、火災が発生したバッテリラックのＩＤを確認し、前記格納部から前記火災が発生したバッテリラックと隣り合うバッテリラックのＩＤを検出して、火災が発生したバッテリラックと隣り合う少なくとも一つ以上のバッテリラックを放電バッテリラックに設定してもよい。
【００６８】
または、隣接するバッテリラックを検出せず、エネルギー貯蔵システム（ＥＳＳ）を構成するすべてのバッテリラックを放電バッテリラックに設定してもよい。
【００６９】
例えば、１０個のバッテリラック（第１乃至第１０のバッテリラック）からなるエネルギー貯蔵システム（ＥＳＳ）において、第３のバッテリラックにおいてのみ火災が発生したと判断される場合、前記強制放電バッテリラック設定モジュールは、前記格納部を用いて、第２のバッテリラックと第４のバッテリラックが前記火災が発生した第３のバッテリラックと隣り合うラックであることを検出して、第３のバッテリラックと隣り合う第２のバッテリラックと第４のバッテリラックを強制放電バッテリラックに設定してもよい。
【００７０】
一方、他の例によれば、１０個のバッテリラック（第１乃至第１０のバッテリラック）からなるエネルギー貯蔵システム（ＥＳＳ）において、第３のバッテリラック、第６のバッテリラック、第６のバッテリラックにおいて火災が発生したと判断される場合には、エネルギー貯蔵システム（ＥＳＳ）を構成するすべてのバッテリラックを強制放電バッテリラックに設定してもよい。
【００７１】
さらに他の例によれば、外部の火災感知機からエネルギー貯蔵システム（ＥＳＳ）へと火災感知信号が伝送される場合には、エネルギー貯蔵システム（ＥＳＳ）を構成するすべてのバッテリラックを強制放電バッテリラックに設定してもよい。
【００７２】
すなわち、エネルギー貯蔵システム（ＥＳＳ）を構成するバッテリラックのうち、火災が発生したラックの数またはエネルギー貯蔵システム（ＥＳＳ）の外部からの火災感知信号に基づいて、強制的に放電すべきバッテリラックを設定してもよい。
【００７３】
一方、前記放電順序設定モジュールは、前記放電バッテリラックに設定されたバッテリラックのＩＤまたは充電容量に応じて、放電すべき順序を設定するか、または、前記放電バッテリラックに設定されたバッテリラックを同時に放電するように設定してもよい。
【００７４】
例えば、バッテリラックの放電は、バッテリラックのＩＤが早い順に、または、充電容量ＳＯＣが高い順に順次に行ってもよい。
【００７５】
具体的に、１０個のバッテリラック（第１乃至第１０のバッテリラック）からなるエネルギー貯蔵システム（ＥＳＳ）において、第３のバッテリラックにおいてのみ火災が発生したと判断される場合、第３のバッテリラックと隣り合う第２のバッテリラックと第４のバッテリラックのうち、ＩＤが早い第２のバッテリラックを先に放電した後、第４のバッテリラックを強制的に放電するように設定してもよい。
【００７６】
他の例によれば、１０個のバッテリラック（第１乃至第１０のバッテリラック）からなるエネルギー貯蔵システム（ＥＳＳ）において、第３のバッテリラックにおいてのみ火災が発生したと判断される場合、第３のバッテリラックと隣り合う、充電容量が８０％である第２のバッテリラックと充電容量が９０％である第４のバッテリラックのうち、充電容量が大きい第４のバッテリラックを先に放電した後、第２のバッテリラックを強制的に放電するように設定してもよい。
【００７７】
一方、さらに他の例によれば、１０個のバッテリラック（第１乃至第１０のバッテリラック）からなるエネルギー貯蔵システム（ＥＳＳ）において、第３のバッテリラック、第６のバッテリラック、第６のバッテリラックにおいて火災が発生したと判断される場合には、エネルギー貯蔵システム（ＥＳＳ）を構成するすべてのバッテリラックを同時に放電するように設定してもよい。
【００７８】
さらに他の例によれば、外部の火災感知機からエネルギー貯蔵システム（ＥＳＳ）へと火災感知信号が伝送される場合にも、エネルギー貯蔵システム（ＥＳＳ）を構成するすべてのバッテリラックを同時に強制的に放電するように設定してもよい。
【００７９】
すなわち、エネルギー貯蔵システム（ＥＳＳ）を構成するバッテリラックのうち、火災が発生したラックの数またはエネルギー貯蔵システム（ＥＳＳ）の外部からの火災感知信号に基づいて、強制的に放電すべき順序を設定してもよい。
【００８０】
一方、前記スイッチング部３００は、一方の端は前記メイン出力ライン１１に接続され、他方の端はバッテリラックの出力端に接続されるメイン出力制御スイッチ３１０、及び一方の端は前記強制放電ライン１２に接続され、他方の端はバッテリラックの出力端に接続される強制放電制御スイッチ３２０を備えてもよい。
【００８１】
一方、前記スイッチング部３００が属するバッテリラックが強制放電バッテリラックに設定される場合、前記メイン出力制御スイッチ３１０はオフになり、前記強制放電制御スイッチ３２０はオンになってもよい。
【００８２】
一方、前記強制放電装置２０は、所定の時間内に所定の電力容量を費やすように設定された装置であってもよい。
【００８３】
例えば、前記強制放電装置は、エネルギー貯蔵システム（ＥＳＳ）に蓄えられた電気エネルギーを熱エネルギーに切り換える装置であってもよい。
【００８４】
一方、前記火災感知部４００は、バッテリラックの温度及び煙の有無などを感知してバッテリラックの火災有無を感知してもよい。
【００８５】
一方、図４は、本発明の第２の実施形態に係るエネルギー貯蔵システム（ＥＳＳ）を示す図である。
【００８６】
本発明の第２の実施形態に係るエネルギー貯蔵システム（ＥＳＳ）は、振動感知部５００をさらに備えてもよい。
【００８７】
具体的に、振動感知部５００は、地震またはエネルギー貯蔵システム（ＥＳＳ）の衝撃有無を感知して、所定の衝撃または振動が感知された場合、すべてのバッテリラックを強制的に放電してもよい。
【００８８】
一方、振動が感知されない場合には、火災の発生有無を感知して、火災の発生が感知されたバッテリラックと隣り合うラックまたはエネルギー貯蔵システム（ＥＳＳ）を構成する全体のバッテリラックを上述した第１の実施形態の方法により強制的に放電してもよい。
【００８９】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【符号の説明】
【００９０】
１  エネルギー貯蔵システム（ＥＳＳ）
１０  電子装置
１１  メイン出力ライン
１２  強制放電ライン
２０  強制放電装置
１００〜１０９  バッテリラック
２００  エネルギー貯蔵システム（ＥＳＳ）制御部
２１０  強制放電バッテリラック設定モジュール
２２０  放電順序設定モジュール
２３０  格納部
３００  スイッチング部
３１０  メイン出力制御スイッチ
３２０  強制放電制御スイッチ
４００  火災感知部
５００  振動感知部
Ｓ１００  個別バッテリラック火災感知ステップ
Ｓ１０１  振動感知ステップ
Ｓ２００  バッテリラック強制放電ステップ
Ｓ２１０  放電バッテリラック設定ステップ
Ｓ２１１  火災発生バッテリラックＩＤ確認ステップ
Ｓ２１２  火災発生バッテリラック数確認ステップ
Ｓ２１３  隣接バッテリラックＩＤ確認ステップ
Ｓ２２０  放電順序設定ステップ
Ｓ２３０  強制放電バッテリラック
【図１】
2022501000.tif 000003
【図２】
2022501000.tif 000004
【図３】
2022501000.tif 000005
【図４】
2022501000.tif 000006
【国際調査報告】
2022501000.tif 000007
2022501000.tif 000008
2022501000.tif 000009
2022501000.tif 000010